(57)【要約】【課題】その全体の形状を大型とすることなく光量を多くすることのできる発光ダイオード式回転灯を提供することを目的とする。【解決手段】発光ダイオード式回転灯においては、基台１０上に設けられた円形基盤２１上に上方に光を発する多数の発光ダイオード２２が配設された発光部２０と、発光部２０の上側で発光部２０から発せられた光を水平方向へ反射させながら回転する回転反射部３０とを備えており、回転反射部３０の反射部３４は、円形基盤２１の中心部に設けた開口から立設して外側に向けて折り曲げられて反射板３４ｂの下側の複数の発光ダイオード２２の光を水平方向へ反射させている。【選択図】    図１
0003117350.tif 000002
【実用新案登録請求の範囲】
【請求項１】
基台上に設けられた基盤上に上方に光を発する多数の発光ダイオードが配設された発光部と、
前記発光部の上側で前記発光部から発せられた光を水平方向へ反射させながら回転する回転反射部とを備えた発光ダイオード式回転灯において、
前記回転反射部は、前記基盤の中心部から立設して外側に向けて折り曲げられてその下側の前記多数の発光ダイオードの光を水平方向へ反射させていることを特徴とする発光ダイオード式回転灯。
【請求項２】
前記回転反射部は、前記基盤の中心部から立設して外側に向けて４５°の角度で折り曲げられていることを特徴とする請求項１に記載の発光ダイオード式回転灯。
【考案の詳細な説明】
【技術分野】
【０００１】
本考案は、注意喚起等のために線路際、工事現場、工場等に設置される回転灯に関し、特に光源として発光ダイオードを採用した発光ダイオード式回転灯に関する。
【背景技術】
【０００２】
従来の回転灯は、光源に白熱電球を使用し、この光源の周囲に回転自在に配置した反射板を回転させて光源からの光と反射光を周囲に発して回転閃光させるようになっている。このような回転灯は、光源に白熱電球を使用しているので、この白熱電球が短期間で切れることがあり、回転灯の白熱電球を交換する保守作業が多くて面倒であった。
【０００３】
また、白熱電球のように球切れが生じない回転灯として、発光ダイオードの光を用いた発光ダイオード式回転灯が特許文献１に開示されている。この発光ダイオード式回転灯は、複数の発光ダイオードが中心部分に配置された円盤状のＬＥＤ取付盤と、傾斜した上面部とこの上面部から連続して垂下する両側面部とを一体的に形成してＬＥＤ取付盤の上側で複数の発光ダイオードを囲うように回転自在に設けられた反射部と、ＬＥＤ取付盤と反射部とを覆うグローブ（カバー）とを備えている。このような発光ダイオード式においては、ＬＥＤ取付盤の上側に設けた反射部が回転することにより、ＬＥＤ取付盤の発光ダイオードが反射部により水平方向へ回転閃光するようになっている。
【特許文献１】実公平７−２２００５号公報
【考案の開示】
【考案が解決しようとする課題】
【０００４】
しかし、上記のような特許文献１の発光ダイオード式回転灯においては、上述のように、反射部は、傾斜した上面部とこの上面部から連続して垂下する両側面部とを一体的に形成してＬＥＤ取付盤の上側で複数の発光ダイオードを囲うよう回転自在に設けられている。
【０００５】
このような発光ダイオード式回転灯において、一定以上の光量を必要とするときには、ＬＥＤ取付盤上の発光ダイオードの数を増やす必要がある。しかし、ＬＥＤ取付盤に配置させる発光ダイオードは、反射部に囲われるようにしてその下側位置で配置させなければならなく反射部の大きさによって制限されていた。また、反射部を大型にして反射部の下側に配置させる発光ダイオードの数を増やそうとしたときには、グローブも、反射板がＬＥＤ取付盤上で回転して当たらないように大型にしなければならなく、その結果、発光ダイオード式回転灯全体が大型になる問題があった。
【０００６】
よって、本考案は、発光ダイオード式回転灯において、その全体の形状を大型とすることなく光量を多くすることのできる発光ダイオード式回転灯を提供する目的とする。
【課題を解決するための手段】
【０００７】
本考案は上記課題を解決するため、基台上に設けられた基盤上に上方に光を発する多数の発光ダイオードが配設された発光部と、発光部の上側で発光部から発せられた光を水平方向へ反射させながら回転する回転反射部とを備えた発光ダイオード式回転灯において、回転反射部は、基盤の中心部から立設して外側に向けて折り曲げられてその下側の複数の発光ダイオードの光を水平方向へ反射させていることを特徴とする発光ダイオード式回転灯を提供するものである。
【０００８】
上記のように構成した発光ダイオード式回転灯においては、回転反射部は、基盤の中心部から立設して外側に折り曲げられているので、発光ダイオードを回転反射部が立設する基盤の中心部以外に効率よく配設させることができる。その結果、発光ダイオード式回転灯は、その全体の形状を大型とすることなく基盤上で効率よく配設される発光ダイオードにより光量を多くすることができる。
【０００９】
上記のように構成した発光ダイオード式回転灯においては、回転反射部は、基盤の中心部から立設して外側に向けて４５°の角度で折り曲げられているのが好ましく、このようにすれば、基盤上の発光ダイオードの光をより効率的に水平方向に反射させることができる。
【考案を実施するための最良の形態】
【００１０】
以下、本考案の一実施形態を図面を用いて説明する。図１〜図３は、本考案に係る発光ダイオード式回転灯を示しており、この発光ダイオード式回転灯は、図１に示すように、設置場所に載置される基台１０と、基台１０から立設されて上方に向けて光を放つ発光部２０と、発光部２０の光を側方へ反射させて回転閃光させる回転反射部３０と、発光部２０と回転反射部３０を覆うカバー４０から構成されている。
【００１１】
基台１０は設置場所に取り付けられるものであり、図１に示すように、上方が開口された略円柱形状をしたケーシング部材１１よりなる。ケーシング部材１１の内部には、発光部２０と回転反射部３０とを取り付けるための取付部材１２が設けられている。取付部材１２は、図１に示すように、縦方向の断面形状がコ字形状をしてケーシング部材１１内の略円柱形状の内周部で均等に３カ所に取り付けられている。
【００１２】
発光部２０は、図１及び図２に示すように、上方に向けて光を放つものであり、同心的に丸い開口が設けられた円形基盤（基盤）２１と、円形基盤２１上に配置された発光ダイオード２２とから構成される。円形基盤２１は、図１に示すように、発光ダイオード２２を配置させるものであり、基台１０に設けられたコ字形状の取付部材１２にねじにて取り付けられている。円形基盤２１上には、図２に示すように、複数の発光ダイオード２２が配設されており、これら発光ダイオード２２は、上方に向けて光を発する。なお、本実施形態における発光ダイオード式回転灯は、側壁面に設置されるためのものであるので、発光ダイオード２２は、閃光させる必要のない側壁面側となる箇所には植設されていないが、全方向に向けて回転閃光させるときには、円形基盤２１の全面に発光ダイオード２２を植設させるものである。
【００１３】
回転反射部３０は、上方に光を発する発光ダイオード２２の光を水平方向に反射させて回転閃光させるものであり、図１及び図３に示すように、基台１０の取付部材１２に固定された支持板３１と、支持板３１に取り付けられたモータ３２と、モータ３２により回転する反射板側プーリ３３と、反射板側プーリ３３に取り付けられて発光ダイオード２２の光を水平方向へ反射させる反射部３４とから主に構成される。
【００１４】
支持板３１は、モータ３２及び反射板側プーリ３３を取り付けるためのものあり、図１に示すように、円形基盤２１の下側で取付部材１２にねじにより定されている。
【００１５】
モータ３２は、反射板側プーリ３３を介して反射部３４を回転させるものであり、図１に示すように、支持板３１の下面にねじにて固定されている。なお、モータ３２の回転軸は、支持板３１の上側に突出しており、この回転軸の先端には、モータ側プーリ３２ａが設けられている。
【００１６】
反射板側プーリ３３は、図１に示すように、支持板３１の上側に設けられており、反射板側プーリ３３の中心に固定された回転軸が支持板３１の下側に垂下して軸受３３ａを介して支持板３１に回転自在に支持されている。反射板側プーリ３３とモータ側プーリ３２ａとの間にはベルト３５が張設されており、モータ３２の回転は、ベルト３５を介して反射板側プーリ３３に伝達されるようになっている。
【００１７】
反射部３４は、図１及び図３に示すように、鍍金により鏡面加工されたポリカーボネートによる樹脂部材よりなり、反射部３４は、反射板側プーリ３３の上面中心位置に取り付けられる台座３４ａと、台座３４ａから円形基盤２１の中心部の丸い開口を上方に突出して水平方向に向けて斜め４５°に折り曲げられた反射板３４ｂとからなる。反射部３４の反射板３４ｂは、その下側に配設されて上方へ照射される発光ダイオード２２の光を水平方向に反射させる。この反射部３４は、モータ３２がベルト３５を介して反射板側プーリ３３を回転させることによって反射板側プーリ３３とともに回転されて、発光ダイオード２２の光を水平方向に回転閃光させる。
【００１８】
カバー４０は、図１に示すように、有色透明で底面が開口されて下側に向けて広がった略円筒形の樹脂部材よりなり、基台１０のケーシング部材１１の上側で発光部２０と回転反射部３０を覆うように設けられている。カバー４０は、ケーシング部材１１の上側でケーシング部材１１の上端外側に設けられた雄ねじ部に嵌合部材４１の雌ねじ部を螺合させることで固定されている。なお、本実施形態においては、カバー４０は、橙色透明にして橙色の光を回転閃光させているが、これに限られるものでなく、赤色や黄色等の他の有色透明の樹脂部材にしてもよく、さらに、カバー４０を無色透明にして、発光ダイオード２２を所望の色の光を発するようにしてもよい。
【００１９】
上記のように構成した発光ダイオード式回転灯の作動を説明する。図示しない電源を入れると、発光部２０の発光ダイオード２２か点灯するとともにモータ３２が作動する。モータ３２は、反射板側プーリ３３を介し反射部３４を回転させる。回転する反射部３４は、反射板３４ｂの下側で点灯される発光ダイオード２２の光を水平方向に反射させる。その結果、発光ダイオード式回転灯は、上方に発光される発光ダイオード２２の光を回転する反射部３４により回転閃光させることができる。
【００２０】
上述のように、本実施形態における発光ダイオード式回転灯においては、基台１０上に設けられた円形基盤２１上に上方に光を発する多数の発光ダイオード２２が配設された発光部２０と、発光部２０の上側で発光部２０から発せられた光を水平方向へ反射させながら回転する回転反射部３０とを備えており、回転反射部３０の反射部３４は、円形基盤２１の中心部に設けた開口から立設して外側に向けて折り曲げられて反射板３４ｂの下側の複数の発光ダイオード２２の光を水平方向へ反射させている。
【００２１】
このような発光ダイオード式回転灯においては、回転反射部３０の反射部３４は、円形基盤２１の中心部の開口から立設して外側に折り曲げられているので、発光ダイオード２２を回転反射部３０の反射部３４が立設する基盤の中心部の開口以外に効率よく配設させることができる。その結果、発光ダイオード式回転灯は、その全体の形状を大型とすることなく円形基盤２１上で効率よく配設される発光ダイオード２２により光量を多くすることができる。
【００２２】
なお、本実施形態においては、反射部３４の反射板３４ｂの角度を外側に向けて４５°に折り曲げているが、これに限られるものでなく、例えば３０°〜６０°に折り曲げてもよい。
【図面の簡単な説明】
【００２３】
【図１】本考案の一実施形態に係る発光ダイオード式回転灯の側部断面図である。
【図２】図１のＡ−Ａ断面図である。
【図３】反射部の正面図である。
【符号の説明】
【００２４】
１０…基台、２０…発光部、２１…基盤（円形基盤）、２２…発光ダイオード、３０…回転反射部。
【図１】
0003117350.tif 000003
【図２】
0003117350.tif 000004
【図３】
0003117350.tif 000005